(57)【要約】【課題】携帯装置を利用して照明をプランニングするシステム及びその方法を提供する。【解決手段】本発明のシステム１００は、ＤＡＬＩシステム２００上に応用され、無線制御装置１０及び携帯装置２０を含む。携帯装置２０は、複数のファンクションブロックを有するグラフィカルユーザインターフェースを有する。グループ化をプランニングするファンクションブロックは、複数のメニューを含む。各メニューの画面は、第１表示領域５０及び第２表示領域６０に分けられる。携帯装置２０は、無線制御装置１０を介してＤＡＬＩシステム２００内の照明の初期化アドレスにアクセスし、プランニングされていない照明アイコンを第２表示領域６０に表示する。また、第２表示領域６０内に表示される照明アイコンを第１表示領域５０中にドラッグすることによって照明のグループ化が完了する。【選択図】図３
2015211035.tif 000002
【特許請求の範囲】
【請求項１】
ＤＡＬＩシステム上に応用される、携帯装置を利用して照明をプランニングするシステムであって、
前記携帯装置は、グラフィカルユーザインターフェースを有し、前記グラフィカルユーザインターフェースは、複数のファンクションブロックを有し、前記複数のファンクションブロック中の１つであるグループ化をプランニングするファンクションブロックは、複数のメニューを有し、前記各メニューの画面は、第１表示領域及び第２表示領域に分けられ、プランニングされていないＤＡＬＩシステムの照明アイコンを第２表示領域に表示し、前記第２表示領域内に表示される照明アイコンを前記第１表示領域中にドラッグすることによって照明のグループ化のプランニングが完了し、反対に、前記第１表示領域内の照明アイコンを前記第２表示領域中にドラッグすることによって照明のグループ化の変更が完了することを特徴とする携帯装置を利用して照明をプランニングするシステム。
【請求項２】
前記ＤＡＬＩシステムは、ＤＡＬＩバス及び照明群を有し、前記ＤＡＬＩバスは、前記無線制御装置に電気的に接続され、前記照明群は、前記ＤＡＬＩバスに電気的に接続されることを特徴とする請求項１に記載の携帯装置を利用して照明をプランニングするシステム。
【請求項３】
前記無線制御装置は、ＷＩＦＩコントローラ又はブルートゥースコントローラであり、前記携帯装置は、携帯電話、タブレット型コンピュータ又は他の３Ｃ製品であることを特徴とする請求項１に記載の携帯装置を利用して照明をプランニングするシステム。
【請求項４】
前記第１表示領域には、ユーザに編集されることにより、プランニングする各グループのメニュー名が命名され、前記第２表示領域には、プランニングされていない照明アイコンが表示されることを特徴とする請求項１に記載の携帯装置を利用して照明をプランニングするシステム。
【請求項５】
ＤＡＬＩシステム上に応用される、携帯装置を利用して照明をプランニングする方法であって、
前記ＤＡＬＩシステムに統合されて電気的に接続される少なくとも１つの無線制御装置を準備するステップと、
前記無線制御装置と双方向に無線通信を行う前記携帯装置を準備するステップと、
前記携帯装置が前記無線制御装置を介して前記ＤＡＬＩシステム内の照明の初期化アドレスにアクセスする上、グラフィカルユーザインターフェースを提供するステップと、
前記グラフィカルユーザインターフェースを起動し、前記無線制御装置がアクセスした複数の照明の配置状況を自動的に検索するステップと、
前記グラフィカルユーザインターフェース内のグループ化をプランニングするファンクションブロック中の１つのメニューを選択し、前記メニュー画面は、第１表示領域と第２表示領域とに分けられ、プランニングされていないＤＡＬＩシステムの照明を前記第２表示領域に表示し、前記第２表示領域内に表示された照明アイコンを前記第１表示領域中にドラッグすることによって照明のグループ化のプランニングが完了するステップと、を含むことを特徴とする携帯装置を利用して照明をプランニングする方法。
【請求項６】
前記グラフィカルユーザインターフェース内のグループ化をプランニングするファンクションブロック中の１つのメニューを選択し、既にプランニングされたＤＡＬＩシステムの照明アイコンを前記第１表示領域に表示し、前記第１表示領域内に表示された照明アイコンを前記第２表示領域中にドラッグすることによって照明のグループ化のプランニングを解除するステップを更に含むことを特徴とする請求項５に記載の携帯装置を利用して照明をプランニングする方法。
【発明の詳細な説明】
【技術分野】
【０００１】
本発明は、携帯装置を利用して照明をプランニングするシステム及びその方法に関し、特に、全ての照明を遠隔設定及び遠隔制御することができ、全ての照明のオン／オフ機能を統合することができる、携帯装置を利用して照明をプランニングするシステム及びその方法に関する。
【背景技術】
【０００２】
照明システムは、すでにデジタル制御の時代に突入しており、ＤＡＬＩ(Digital Addressable Lighting Interface)が誕生した。ＤＡＬＩは、照明のために制定された世界標準の制御プロトコルであり、デジタルアドレス指定機能を有するため、１対１又は１対複数の調光制御を行うことができる。ＤＡＬＩにより、照明システムの設計者は、システムを簡単に構築し、融通性高く調整し、簡単にメンテナンスすることができる。
【０００３】
しかし、従来のＤＡＬＩシステム中には、照明の設置に関する問題が存在する。１つのＤＡＬＩシステムは、６４のアドレスの異なる照明を制御することができるが、６４のアドレスの異なる各ＤＡＬＩ構成要素に対してグループ化をプランニングすることは、極めて困難なことであり、ユーザは、照明を設置する前に複雑な設定を行う必要があり、照明のプラン図に基づいて各照明を設置する必要があった。また、一般のユーザは、自らで設置及び変更を行うことができず、設置、設定又は変更の全てをシステム業者に委ねるしかなかった。
【０００４】
このため、照明のプランニングを簡単に設定することができ、操作及び制御を簡単で便利に行うことができる技術が求められていた。
【先行技術文献】
【特許文献】
【０００５】
【特許文献１】特開２００４−１３６１７号公報
【発明の概要】
【発明が解決しようとする課題】
【０００６】
本発明の目的は、ユーザが携帯装置にグラフィカルユーザインターフェースのソフトウェアをインストールすることによって照明のプランニングを遠隔設定及び遠隔制御することができる、携帯装置を利用して照明をプランニングするシステムを提供することにある。
本発明のもう１つの目的は、ＤＡＬＩシステム上の照明に対してグループ化のプランニング及び制御を行うために用いられる、携帯装置を利用して照明をプランニングするシステムを提供することにある。
【課題を解決するための手段】
【０００７】
上述の課題を解決するために、本発明の携帯装置を利用して照明をプランニングするシステムは、ＤＡＬＩ(Digital Addressable Lighting Interface)システム上に応用され、ＤＡＬＩシステムに統合されて電気的に接続される無線制御装置と、無線制御装置と双方向の無線通信を行う携帯装置と、を含む。携帯装置は、グラフィカルユーザインターフェースを有する。グラフィカルユーザインターフェースは、複数のファンクションブロックを有する。複数のファンクションブロック中の１つであるグループ化をプランニングするファンクションブロックは、複数のメニューを含む。
各メニューの画面は、第１表示領域及び第２表示領域に分けられる。携帯装置は、無線制御装置を介してＤＡＬＩシステム内の照明の初期化アドレスにアクセスし、プランニングされていないＤＡＬＩシステムの照明アイコンを第２表示領域に表示する。また、第２表示領域内に表示される照明アイコンを第１表示領域中にドラッグすることによって照明のグループ化が完了する。
【０００８】
ＤＡＬＩシステムは、ＤＡＬＩバス及び照明群を含む。ＤＡＬＩバスは、無線制御装置に電気的に接続される。照明群は、ＤＡＬＩバスに電気的に接続される。
【０００９】
本発明の携帯装置を利用して照明をプランニングするシステムの無線制御装置は、ＷＩＦＩコントローラ又はブルートゥースコントローラである。携帯装置は、携帯電話、タブレット型コンピュータ又は他の３Ｃ製品である。
【００１０】
本発明の携帯装置を利用して照明をプランニングするシステムの第１表示領域には、ユーザに編集されることにより、プランニングする各グループのメニュー名が命名される。また、第２表示領域は、プランニングされていない照明アイコンが表示される。
【００１１】
本発明の携帯装置を利用して照明をプランニングする方法は、ＤＡＬＩシステム上に応用され、ＤＡＬＩシステムに統合されて電気的に接続される少なくとも１つの無線制御装置を準備するステップと、無線制御装置と双方向に無線通信を行う携帯装置を準備するステップと、携帯装置が無線制御装置を介してＤＡＬＩシステム内の照明の初期化アドレスにアクセスする上、グラフィカルユーザインターフェースを提供するステップと、グラフィカルユーザインターフェースを起動し、無線制御装置がアクセスした複数の照明の配置状況を自動的に検索するステップと、グラフィカルユーザインターフェース内のグループ化をプランニングするファンクションブロック中の１つのメニューを選択し、メニュー画面は、第１表示領域と第２表示領域とに分けられ、プランニングされていないＤＡＬＩシステムの照明を第２表示領域に表示し、第２表示領域内に表示された照明アイコンを第１表示領域中にドラッグすることによって照明のグループ化のプランニングが完了するステップと、を含む。
【００１２】
本発明の携帯装置を利用して照明をプランニングする方法は、グラフィカルユーザインターフェース内のグループ化をプランニングするファンクションブロック中の１つのメニューを選択し、既にプランニングされたＤＡＬＩシステムの照明アイコンを第１表示領域に表示し、第１表示領域内に表示された照明アイコンを第２表示領域中にドラッグすることによって照明のグループ化のプランニングを解除するステップを更に含む。
【発明の効果】
【００１３】
本発明は、携帯装置を利用して照明をプランニングするシステム及びその方法を提供するものであり、ユーザが携帯装置にグラフィカルユーザインターフェースのソフトウェアをインストールし、無線制御装置と双方向の無線通信を行うことにより、照明のプランニング設定及び調光制御を簡単に遠隔制御することができる。
【図面の簡単な説明】
【００１４】
【図１】本発明の携帯装置を利用して照明をプランニングするシステムを示すブロック図である。
【図２】本発明の携帯装置を利用して照明をプランニングするシステムのグラフィカルユーザインターフェースを示す模式図である。
【図３】本発明の携帯装置を利用して照明をプランニングするシステムのグラフィカルユーザインターフェースをドラッグ操作する状態を示す模式図である。
【図４】本発明の携帯装置を利用して照明をプランニングするシステムのグラフィカルユーザインターフェースによって照明のプランニングが完了した状態を示す模式図である。
【図５】本発明の携帯装置を利用して照明をプランニングする方法を示す流れ図である。
【発明を実施するための形態】
【００１５】
図１を参照する。本発明の携帯装置を利用して照明をプランニングするシステム１００は、ＤＡＬＩシステム２００上に応用され、ＤＡＬＩシステム２００に統合されて電気的に接続される無線制御装置１０と、無線制御装置１０と双方向の無線通信を行う携帯装置２０と、を含む。
携帯装置２０は、無線制御装置１０を介してＤＡＬＩシステム２００内の照明の初期化アドレスにアクセスする。携帯装置２０は、グラフィカルユーザインターフェース（図２参照）を有する。ユーザは、グラフィカルユーザインターフェースを利用してプランニングされていないＤＡＬＩシステム２００の照明に対してグループ化をプランニングする。
【００１６】
ＤＡＬＩシステム２００は、ＤＡＬＩバス３０及び照明群４０を含む。ＤＡＬＩバス３０は、無線制御装置１０に電気的に接続される。照明群４０は、ＤＡＬＩバス３０に電気的に接続される。これにより、携帯装置２０は、無線制御装置１０を介してＤＡＬＩシステム２００の照明群４０上の各照明の初期化アドレスを取得し、携帯装置２０のグラフィカルユーザインターフェースによって各照明に対してグループ化をプランニングする。
【００１７】
図２を参照する。本発明の携帯装置のグラフィカルユーザインターフェースには、複数のファンクションブロックが設けられる。複数のファンクションブロックは、グループ化、調光制御、ログオフ、他の環境モードの追加、リセットなどの機能（図示せず）を含み、各ファンクションブロックは、複数のメニュー（図示せず）を含む。
グループ化をプランニングする各メニューの画面は、第１表示領域５０及び第２表示領域６０に分けられる。第１表示領域５０には、ユーザに編集されることにより、グループ化する各メニュー名が命名される。
居住環境を例に挙げると、階段、台所、浴室、寝室、ゲストルーム、書斎、子供部屋、客間などの名称を命名することができ、グループを編集することによって初期化された照明を様々なグループにプランニングすることができる。これにより、ユーザは、各グループの照明に対して調整及び制御を便利に行うことができる。
【００１８】
図２〜図４を参照する。本実施形態中においては、階段の照明を制御する場合を例に挙げる。携帯装置２０が無線制御装置１０を介してＤＡＬＩシステム２００内の照明の初期化アドレスにアクセスし、プランニングされていないＤＡＬＩシステム２００の照明アイコンを第２表示領域６０に表示する。
図２に示すように、複数のプランニングされていない照明が第２表示領域６０に表示される。仮に「２」と表示された照明を階段のグループにグループ化したい場合、第２表示領域６０内の「２」と表示された照明アイコンを第１表示領域５０中にドラッグする（図３参照）と、「２」と表示された照明のグループ化のプランニングが完了する（図４参照）。同様に、更に他の某照明を階段のグループにプランニングしたい場合、プランニングされていない照明アイコン（第２表示領域６０に表示）を第１表示領域５０中にドラッグする。
また、他の某照明を台所グループにプランニングしたい場合、同様に、先ず、台所グループのメニューを選択し、プランニングされていない照明アイコン（第２表示領域６０に表示）を第１表示領域５０中にドラッグすることによってグループ化のプランニングが完了する。これにより、階段グループ内又は台所グループ内の照明全体を統一して制御することができる。他の実施形態中、無線制御装置１０は、ＷＩＦＩコントローラ又はブルートゥースコントローラである。携帯装置２０は、携帯電話、タブレット型コンピュータ又は他の３Ｃ製品である。
【００１９】
反対に、某照明のグループ化のプランニングを解除する場合、某グループ中に保存されたメニューを選択し、第１表示領域５０中の某照明アイコンを第２表示領域６０中にドラッグする。その後、某照明アイコンを新たにプランニングすることができる。当該事項は、当業者であれば容易に理解することができるものであるため、図面及び説明を示さない。
ここで、本発明の図２〜図４中の照明アイコンの警告マークの付いた照明アイコンは、損壊した照明を示す。これにより、ユーザに損壊した照明を知らせることができ、ユーザは、交換する必要があることを知ることができる。
【００２０】
図５を参照する。本発明の携帯装置を利用して照明をプランニングする方法は、ＤＡＬＩシステム上に応用され、ＤＡＬＩシステムに統合されて電気的に接続される少なくとも１つの無線制御装置を準備するステップ（Ｓ１０１）と、無線制御装置と双方向に無線通信を行う携帯装置を準備するステップ（Ｓ１０２）と、携帯装置が無線制御装置を介してＤＡＬＩシステム内の照明の初期化アドレスにアクセスする上、グラフィカルユーザインターフェースを提供するステップ（Ｓ１０３）と、グラフィカルユーザインターフェースを起動し、無線制御装置がアクセスした複数の照明の配置状況を自動的に検索するステップ（Ｓ１０４）と、グラフィカルユーザインターフェース内のグループ化をプランニングするファンクションブロック中の１つのメニューを選択し、メニュー画面は、第１表示領域と第２表示領域とに分けられ、プランニングされていないＤＡＬＩシステムの照明を第２表示領域に表示し、第２表示領域内に表示された照明アイコンを第１表示領域中にドラッグすることによって照明のグループ化のプランニングが完了するステップ（Ｓ１０５）と、を含む。
【００２１】
本発明の携帯装置を利用して照明をプランニングする方法は、グラフィカルユーザインターフェース内のグループ化をプランニングするファンクションブロック中の１つのメニューを選択し、既にプランニングされたＤＡＬＩシステムの照明アイコンを第１表示領域に表示し、第１表示領域内に表示された照明アイコンを第２表示領域中にドラッグすることによって照明のグループ化のプランニングを解除するステップを更に含む。
【００２２】
本発明は、携帯装置を利用して照明をプランニングするシステム及びその方法を提供するものであり、ユーザが携帯装置にグラフィカルユーザインターフェースのソフトウェアをインストールし、無線制御装置と双方向の無線通信を行うことにより、照明のプランニング設定及び調光制御を簡単に遠隔制御することができる。
【符号の説明】
【００２３】
１００  携帯装置を利用して照明をプランニングするシステム
２００  ＤＡＬＩシステム
１０  無線制御装置
２０  携帯装置
３０  ＤＡＬＩバス
４０  照明群
５０  第１表示領域
６０  第２表示領域
【図１】
2015211035.tif 000003
【図２】
2015211035.tif 000004
【図３】
2015211035.tif 000005
【図４】
2015211035.tif 000006
【図５】
2015211035.tif 000007